(57)【要約】【課題】  打撃力によりフィルタの内容積を収縮させて逆洗することにより簡単且つ、小さな力でフィルタに付着した塵埃を瞬時に除去してフィルタの機能を回復させることができるフィルター式掃除機を提供することを目的とするものである。【解決手段】  本体１に吸引口２aが形成された集塵室2と排気口3aと吸引ファン12を設けた濾過室3とを設け、集塵室2と濾過室3間をフィルタ4で区画した電気掃除機において、打撃によりフィルタ4の内容積を収縮させるとともに、フィルタに衝撃を与える打撃棒8の打撃端8aを外部に張出させたことを特徴とするフィルタ式掃除機。【選択図】図１
2015047476.tif 000002
【特許請求の範囲】
【請求項１】
本体に吸引口が形成された集塵室と排気口と吸引ファンを設けた濾過室とを設け、集塵室と濾過室間をフィルタで区画した電気掃除機において、打撃によりフィルタの内容積を収縮させるとともに、フィルタに衝撃を与える打撃棒の打撃端を外部に張出させたことを特徴とするフィルタ式掃除機。
【請求項２】
打撃棒の打撃方向をフィルタの収縮方向に合わせる力方向変換機構を設けたことを特徴とする請求項１に記載のフィルタ式掃除機。
【請求項３】
力方向変換機構がシーソー板又は逆Ｕ字状パイプにガイドさせたインナーワイヤ又は駆動ラックギヤと従動ラックギヤ間にピニオンギヤを設けたものとからなることを特徴とする請求項２に記載のフィルタ式掃除機。
【発明の詳細な説明】
【技術分野】
【０００１】
本発明は砂礫等が多く発生する建築現場等に最適なフィルタ式掃除機に関するものである。
【背景技術】
【０００２】
電気掃除機として、手動操作により重りを弾性体の弾発力に抗して持ち上げたうえ、重りを落下させることより発生した振動により、フィルタに付着した塵埃を除去するものがある（例えば、特許文献1参照）。
【０００３】
しかし、フィルタを取り付けたアタッチメントをタンクから取り外して除塵を行うため、取り外しの際、塵埃がこぼれて周りを汚すおそれがあるうえに、除塵作業により塵埃が回りに飛散するという問題がある。しかも、弾性体の弾発力に抗して重りを持ち上げる操作に力が必要となり老人や女性には負担が大きすぎるうえに、振動では塵埃を払い落とす力が弱く除去が不十分となる問題がある。
【先行技術文献】
【特許文献】
【０００４】
【特許文献１】特開２００６−８１６３４号公報
【発明の概要】
【発明が解決しようとする課題】
【０００５】
本発明は打撃によりフィルタの内容積を収縮させて逆洗することにより簡単且つ、小さな力でフィルタに付着した塵埃を瞬時に除去してフィルタの機能を回復させることができるフィルタ式掃除機を提供することを目的とするものである。
【課題を解決するための手段】
【０００６】
本発明は、本体に吸引口が形成された集塵室と排気口と吸引ファンを設けた濾過室とを設け、集塵室と濾過室間をフィルタで区画したフィルタ式掃除機において、打撃によりフィルタの内容積を収縮させるとともに、フィルタに衝撃を与える打撃棒の打撃端を外部に張出させたことを特徴とするフィルタ式掃除機。
【０００７】
なお、打撃棒の打撃方向をフィルタの収縮方向に合わせる力方向変換機構を設けたものとしたり、力方向変換機構がシーソー板又は逆Ｕ字状パイプにガイドさせたインナーワイヤ又は駆動ラックギヤと従動ラックギヤ間にピニオンギヤを設けたものとからなるものとしたりしてもよい。
【発明の効果】
【０００８】
本発明は、本体に吸引口が形成された集塵室と排気口と吸引ファンを設けた濾過室とを設け、集塵室と濾過室間をフィルタで区画したフィルタ式掃除機において、打撃によりフィルタの内容積を収縮させるとともに、フィルタに衝撃を与える打撃棒の打撃端を外部に張出させたことにより、打撃棒の打撃端を外部からハンマ等で打撃してフィルタの内容積を収縮させることにより、フィルタ内の圧力を高めて内部の空気を一気に集塵室に噴出される。この瞬間的な空気の噴出によりフィルタ表面に付着している塵埃は一気に吹き飛ばされて逆洗される。さらに、打撃による衝撃によってフィルタには振動が加えられるので、残存するフィルタの塵埃は二次的な除塵作用を受けることとなり、塵埃は確実に払い落とされてフィルタは再生される。また、使用者の膂力や塵埃の種類に応じてハンマによる打撃回数を増減したり、打撃力の強弱を任意に決めたりできるので、フィルタに付着した塵埃を確実に除去することができる。
【０００９】
請求項２のように、打撃棒の打撃方向をフィルタの収縮方向に合わせる力方向変換機構を設けたことにより、打撃力をフィルタの収縮方向と一致させることができ、打撃操作を自然な姿勢で行うことができる。
【図面の簡単な説明】
【００１０】
【図１】本発明の第1の実施形態を示す縦断面図である。
【図２】同じく横断面図である。
【図３】同じく除塵状態を示す縦断面図である。
【図４】第２の実施形態を示す縦断面図である。
【図５】第３の実施形態を示す縦断面図である。
【発明を実施するための形態】
【００１１】
次に、本発明の第１の実施形態を図１、２に基づいて詳細に説明する。
１は掃除機の本体であり、該本体１は吸引口２ａを形成した集塵室２と排気口３ａを形成した濾過室３とからなり、集塵室２と濾過室３とはフィルタ４により仕切られ区画分離されている。
【００１２】
前記フィルタ４は保形枠４aを被覆するもので、該フィルタ４の開口部上縁は収縮部７として伸縮可能としている。フィルタ４に収縮部７を形成することによりフィルタ４の内容積が収縮可能となる。後記する打撃棒８による打撃によってフィルタ４は収縮してフィルタ４内は加圧され内部の空気は集塵室２内に一気に噴出してフィルタ４表面に付着している塵埃は集塵室２内に吹き飛ばされる逆洗が行われる。保形枠４aは濾過室３に収縮部７を介して取り付けられたフィルタ４に吊り下げ支持され、ばね６により常に収縮部７は引き伸ばされた状態となっている。なお、フィルタ４は布製や紙製のものとしている。
【００１３】
８は打撃棒であり、該打撃棒８は先端の打撃端８ａを外部に張出させるとともに、基端を打撃力の方向を逆にする力方向転換装置９としてのシーソー板９ａの一端に当接させて濾過室３内に立設されている。また、シーソー板９ａの他端は前記した打撃棒８の打撃により保形枠４aの下面を叩いてフィルタ４を瞬間的に収縮させると同時に保形枠４ａに衝撃を与えてフィルタ４に振動を加えて二次的な塵埃の払落しを行う。
【００１４】
１０は濾過室３に設けられる吸引機構であり、該吸引機構１０は中心吸気口１１ａと側面排気口１１ｂとを形成した吸引室１１と、該吸引室１１内に配置される二段式の吸引ファン１２と、該吸引ファン１２を駆動するモータ１３とからなる。なお、吸引ファン１２は二段式に限るものではなく一段式でもよいことはいうまでもない。
【００１５】
１４は吸引室１１の角部に配置されるパッキンであり、該パッキン１４は気流のシールとモータ１３の振動を吸収するものである。１５は吸引口２ａの基端後方に設けられる吸引気流の流れを変える案内板である、
【００１６】
１６は濾過室３を貫通して外部に張出される打撃棒８をシールするシール部材であり、該シール部材１６は打撃棒８の打撃端を被套して、打撃棒８と濾過室３の貫通孔間の細隙から負圧が漏れることを防止し、吸引力の低下を防いでいる。１７は保形枠４aの縦桟、１８は打撃によるシール部材１６の破損を防ぐ保護板である。なお、シール部材１６はカバーでなく打撃棒８とその貫通孔間に設けられるシールリングとしてもよい。
【００１７】
１９は濾過室３の隔壁であり、該隔壁１９には吸引室１１へ気流を吸引する吸引孔１９ａと、吸引気流を濾過室３内に排気する排気孔１９ｂとが形成されている。２０はストッパであり、該ストッパ２０は打撃により押し上げられた保形枠４ａの動きを停止させると同時に、保形枠４ａに衝撃を与えてフィルタ４に振動を加えて三次的な塵埃の払落しを行う。
【００１８】
このように構成されたものは、フィルタ４に塵埃が付着して機能が低下した場合、図３に示すように、ハンマ等で打撃棒８を打撃すれば、その打撃力は力方向転換装置９のシーソー板９aを介して保形枠４aを一気に押し上げるので、保形枠４ａは瞬間的に浮き上がった後、ストッパ２０にぶつかって浮き上がりは停止される。保形枠４ａがシーソー板９ａにより押し上げることにより、フィルタ４の内容積は瞬間的に収縮されるので、フィルタ４内は加圧されてフィルタ４内の空気は集塵室２に一気に噴出し、フィルタ４表面の塵埃は高速の空気流により集塵室２に吹き飛ばされてフィルタ４は逆洗される。また、シーソー板９ａによる押し上げは打撃により瞬間的に行われので、保形枠４ａに加えられた衝撃によりフィルタ４は振動して付着した塵埃の一部は払い落とされる。
【００１９】
また、打撃により押し上げられた保形枠４ａはストッパ２０にぶつかって停止する。保形枠４ａがストッパ２０にぶつかって停止されることにより、保形枠４ａを介してフィルタ４には衝撃が加わり、逆洗の済んだフィルタ４に再度振動が加えられてフィルタ４の網目に残存する塵埃に慣性力が加えられて、塵埃は払い落とされてフィルタ４の再生が効果的に行われる。なお、塵埃の除去が不十分の場合、打撃を繰り返したり、打撃力を変えたりすることにより塵埃の除去を確実にする。
【００２０】
また、図４に示される第２の実施形態は、力方向転換装置９を濾過室３に固定した逆Ｕ字状パイプ９ｂとインナーワイヤ９ｃとし、保形枠４aに収縮部７を引き延ばすばね６代わりの錘４ｂを取り付けたもので、打撃棒８を打撃することにより逆Ｕ字状パイプ９ｂを介してインナーワイヤ９ｃは保形枠４ａを一気に引き上げて、フィルタ４の内容積を収縮させるとともにフィルタ４に衝撃を加えてフィルタ４の除塵を行う構成以外は第１の実施形態と同じ構成のため同一符号を付して説明を省略する。
【００２１】
また、図５に示される第３の実施形態は、力方向転換装置９を打撃棒８に形成される駆動ラックギヤ９ｄと、保形枠４ａに取り付けられた従動ラックギヤ９ｄ’と、該駆動ラックギヤ９ｄと従動ラックギヤ９ｄ’とに噛合するピニオンギヤ９ｅと、従動ラックギヤ９ｄ’をスライドガイドする濾過室３に取り付けられるガイドピン９ｆとからなるもので、打撃棒８を打撃することにより、駆動ラックギヤ９ｄは瞬間的に下降する。この下降により駆動ラックギヤ９ｄと噛合するピニオンギヤ９ｅは時計回り方向に急速回転し、該ピニオンギヤ９ｅと噛合する従動ラックギヤ９ｄ’はガイドピン９ｆにガイドされて瞬間的に上昇するので、従動ラックギヤ９ｄ’に取り付けられた保形枠４ａはばね６の付勢力に抗して一気に引き上げられる。この引き上げによりフィルタ４の内容積を一気に収縮させるとともにフィルタ４に衝撃を加えてフィルタ４の除塵を行う構成以外は第１の実施形態と同じ構成のため同一符号を付して説明を省略する。
【符号の説明】
【００２２】
１  本体
２  集塵室
2a  吸引口
３  濾過室
3a  排気口
４  フィルタ
4a  保形枠
4b  錘
６  ばね
７  収縮部
８  打撃棒
8a  打撃端
９  力方向転換装置  
9a  シーソー板
9b  逆Ｕ字状パイプ
9c  インナーワイヤ
9d  駆動ラックギヤ
9d’ 従動ラックギヤ
9e  ピニオンギヤ
9f  ガイドピン
10  吸引機構
11  吸引室
11a  中心吸気口
11b  側面排気口
12  吸引ファン
13  モータ
14  パッキン
15  案内板
16  シール部材
17  縦桟
18  保護板
19  隔壁
19a  吸引孔
19b  排気孔
20  ストッパ
【図１】
2015047476.tif 000003
【図２】
2015047476.tif 000004
【図３】
2015047476.tif 000005
【図４】
2015047476.tif 000006
【図５】
2015047476.tif 000007